(57)【要約】【課題】作業中の鋏の脱落を防止でき、替え刃可能な鋏を提供する。【解決手段】第１の柄部３ａと、この第１の柄部３ａに対向する第２の柄部３ｂと、前記第１の柄部３ａの一端と前記及び第２の柄部３ｂの一端とを連結する弾性体からなる挟持部４と、第１の柄部３ａの他端に回動自在に設けられた親指挿入用親指挿入用リング５と、前記第１及び第２の柄部３ａ，３ｂの少なくとも一方に設けられた刃部２ａ，２ｂとを備え、前記親指挿入用リング５が、親指Ｘ又は前記第２の柄部３ｂの他端に選択可能に係止するように構成した。従って、親指挿入用リング５により前記第１及び第２の柄部３ａ，３ｂがロックされ、刃部２ａ，２ｂが露出せずに閉塞状態を維持できるため安全である。さらに、親指挿入用リング５を親指Ｘに挿通することにより、作業中に鋏１が手から離れても親指Ｘに親指挿入用リング５が係止しているため脱落することがなく、作業性を向上できる。【選択図】図３
2005058130.tif 000002
【特許請求の範囲】
【請求項１】
第１の柄部と、この第１の柄部に対向する第２の柄部と、前記第１の柄部の一端と前記第２の柄部の一端とを連結する弾性体からなる挟持部と、前記第１の柄部の他端に回動自在に設けられた親指挿入用親指挿入用リングと、前記第１及び第２の柄部の少なくとも一方に設けられた刃部とを備え、前記親指挿入用リングが、親指又は前記第２の柄部の他端に選択可能に係止するように構成したことを特徴とする鋏。
【請求項２】
前記挟持部は前記第１及び第２の柄部に摺動可能に挿通し、前記第１及び第２の柄部が前記挟持部に多段階に係止して、前記第１及び第２の柄部の長さを調節可能に構成したことを特徴とする請求項１記載の鋏。
【請求項３】
前記刃部を替え刃可能に構成したことを特徴とする請求項１又は２記載の鋏。
【発明の詳細な説明】
【技術分野】
【０００１】
本発明は、果実の収穫，豆類の収穫，芽切り，摘果，摘粒，摘花等の作業に用いる鋏に関する。
【背景技術】
【０００２】
従来、この種の鋏として、特許文献１には、親指を固定するバンドを付設した摘粒鋏が知られている。
【０００３】
しかしながら、こうした構造の鋏は、バンドを用いることにより親指に摘粒鋏を固定でき脱落せぬように支持できるものの、不使用時に鋏の刃部が露出していて危険であるといった問題があった。そこで、この問題を解決するものとして、刃部に被せられるキャップやケース付きの鋏が知られているが、これらのキャップやケース等は一般に鋏本体と別体であるため紛失し易いといった問題があった。
【０００４】
また、この従来の鋏では、切れ味が悪くなると、研ぎ直すか廃棄するしかなく、さらに、摘果する果樹の枝の太さ等の状態に応じて、それに適応した刃に取り替えることができず、刃部のみを取り替えることができる鋏が望まれていた。
【特許文献１】特開平９−１３５６３０号公報
【発明の開示】
【発明が解決しようとする課題】
【０００５】
本発明は上記問題点を解決しようとするものであり、作業中の鋏の脱落や刃部の露出による危険性を防止できるとともに、一般に鋏本体と別体に設けられたキャップ等の紛失を防止でき、替え刃可能な鋏を提供することを目的とする。
【課題を解決するための手段】
【０００６】
本発明の請求項１記載の鋏は、第１の柄部と、この第１の柄部に対向する第２の柄部と、前記第１の柄部の一端と前記第２の柄部の一端とを連結する弾性体からなる挟持部と、前記第１の柄部の他端に回動自在に設けられた親指挿入用親指挿入用リングと、前記第１及び第２の柄部の少なくとも一方に設けられた刃部とを備え、前記親指挿入用リングが、親指又は前記第２の柄部の他端に選択可能に係止するように構成したものであるため、前記親指挿入用リングは、刃部が露出せずに閉塞状態を維持でき安全であり、かつ、手から脱落することを防止するため作業性を向上できる。
【０００７】
また、本発明の請求項２記載の鋏は、請求項１記載の鋏において、前記挟持部は前記第１及び第２の柄部に摺動可能に挿通し、前記第１及び第２の柄部が前記挟持部に多段階に係止して、前記第１及び第２の柄部の長さを調節可能に構成したものであるため、多段階に伸びた鋏は、支点と力点の距離が長いため弾性体からなる挟持部の弾性力が緩やかになり、少しの力で切断することができ、摘粒作業者等に与える労力を軽減することができる。
【０００８】
さらに、本発明の請求項３記載の鋏は、請求項１又は２記載の鋏において、前記刃部を替え刃可能に構成したものであるため、刃部を取り替えることができる。
【発明の効果】
【０００９】
本発明の請求項１記載の鋏は、第１の柄部と、この第１の柄部に対向する第２の柄部と、前記第１の柄部の一端と前記第２の柄部の一端とを連結する弾性体からなる挟持部と、前記第１の柄部の他端に回動自在に設けられた親指挿入用親指挿入用リングと、前記第１及び第２の柄部の少なくとも一方に設けられた刃部とを備え、前記親指挿入用リングが、親指又は前記第２の柄部の他端に選択可能に係止するように構成したので、不使用時には親指挿入用リングにより第１及び第２の柄部がロックされ、刃部が露出せずに閉塞状態を維持できるため安全である。さらに、使用時には、親指挿入用リングを親指に挿通することにより、作業中に鋏が手から離れても親指に親指挿入用リングが係止しているため脱落することがなく作業性を向上でき、また親指に鋏を係止した状態で親指及び親指以外の指を自由に動かすことができるため摘花等以外の別の作業も行うことができる。
【００１０】
また、本発明の請求項２記載の鋏は、請求項１記載の鋏において、前記挟持部は前記第１及び第２の柄部に摺動可能に挿通し、前記第１及び第２の柄部が前記挟持部に多段階に係止して、前記第１及び第２の柄部の長さを調節可能に構成したので、切断作業を最適にする長さに簡単に調整でき、多段階に伸びた鋏は、支点と力点の距離が長いため弾性体からなる挟持部の弾性力が緩やかになり、少しの力で切断することができるため、摘粒作業者等に与える労力を軽減することができると共に、作業性を向上させることができる。さらに、不使用時には柄部を短くして鋏の長さを短くできるから、携行性を格段に向上できる。
【００１１】
さらに、本発明の請求項３記載の鋏は、請求項１又は２記載の鋏において、前記刃部を替え刃可能に構成したので、刃部の切れ味が悪い際に、また用途に応じて刃を取り替えることができる。
【発明を実施するための最良の形態】
【００１２】
以下、本発明の実施例を添付図面を参照して説明する。
【実施例１】
【００１３】
図１乃至図５は本発明の第１実施例を示す。同図に示すように、本発明の鋏１は、金属製の刃部２ａ，２ｂを有する一対の第１及び第２の柄部３ａ，３ｂと、該第１及び第２の柄部３ａ，３ｂの一端を連結する挟持部４であるＵ字状の板バネ４と、第１の柄部３ａの他端の先端部に金属製の親指挿入用リング５とを設けている。この親指挿入用リング５は、第１の柄部３ａの他端の先端部に設けられた貫通穴６を軸として回動自在に係止され、貫通穴６の大きさに適合する約３ミリの直径を有し、略楕円形状に形成されている。さらに、第１及び第２の柄部３ａ，３ｂが板バネ４の両端方向に摺動し、多段階に係止可能な複数の係止部11が板バネ４に設けられている。また、第１及び第２の柄部３ａ，３ｂの一端から他端に板バネ４が嵌入係止されている。さらに、図２に示すように、第１及び第２の柄部３ａ，３ｂは、その対向面の長手方向に刃部２ａ，２ｂを取り付けるための凹状の取付溝10を備えている。刃部２ａ，２ｂは、内側縁の外側を斜めにカットしてなる片刃状をした刃部であり、刃部２ａの内側縁は左右方向に緩やかな凸円弧形状に形成されており、一方、刃部２ｂの受け刃は左右方向に緩やかな凹円弧形状に形成されている。
【００１４】
そして、鋏１の不使用時には、図２に示すように、第１及び第２の柄部３ａ，３ｂを閉じた状態で親指挿入用リング５を柄部３ｂに係止し、板バネ４の弾性力により親指挿入用リング５は固定されている。一方、鋏１の使用時には、図３に示すように、第１及び第２の柄部３ａ，３ｂを開放した状態で、親指挿入用リング５に親指Ｘを挿通することにより、親指Ｘの腹が第１の柄部３ａの他端頭部に接し、親指Ｘの根元部が第１の柄部３ａに接する。また、親指Ｘ以外の指は、対向する第２の柄部３ｂに接する。
【００１５】
次に、上記構成についてその作用を説明すると、不使用時には親指挿入用リング５により、刃部２ａ，２ｂを有する第１及び第２の柄部３ａ，３ｂがロックされ、刃部２ａ，２ｂが露出せずに閉塞状態を維持できるため安全であり、小型化できるため携帯しやすい。一方、使用時には、第１及び第２の柄部３ａ，３ｂを開放した状態で、親指挿入用リング５に親指Ｘを挿通することにより、親指Ｘの腹が第１の柄部３ａの他端頭部に接し、親指Ｘの根元部が第１の柄部３ａに接することにより、親指Ｘのふらつきを防止することができ、対向する第２の柄部３ｂを、親指Ｘ以外の指にて開閉することが可能である。さらに、親指挿入用リング５を親指Ｘに挿通することにより、作業中に鋏１が手から離れても親指Ｘに親指挿入用リング５が係止しているため脱落することがなく、作業を中断させないため作業性を向上できる。
【００１６】
さらに、金属製の刃部２ａ，２ｂを有する第１及び第２の柄部３ａ，３ｂが挟持部４である板バネ４の両端方向に摺動し、多段階に係止可能な複数の係止部11を板バネ４に設けたため、本実施例では２段階に伸縮することができ、図１に示すような鋏１と図４に示すような２段階に伸びた鋏１を比較すると、２段階に伸びた鋏１は、支点と力点の距離が長いため板バネ４の弾性力が緩やかになり、少しの力で切断することができる。したがって、摘果作業者等に与える労力を軽減することができると共に、作業性を向上させることができる。
【００１７】
また、刃部２ａ，２ｂの鈍りやこぼれが生じた際には、取付溝10に嵌着している刃部２ａ，２ｂを取り外し、新しい刃と取り替えることができる。さらに、摘果する果樹の枝の太さ等の状態に応じて、用途に適応した刃に取り替えることができる。
【００１８】
このように本実施例では請求項１に対応して、第１の柄部３ａと、この第１の柄部３ａに対向する第２の柄部３ｂと、前記第１の柄部３ａの一端と前記及び第２の柄部３ｂの一端とを連結する弾性体からなる挟持部４と、第１の柄部３ａの他端に回動自在に設けられた親指挿入用親指挿入用リング５と、前記第１及び第２の柄部３ａ，３ｂの少なくとも一方に設けられた刃部２ａ，２ｂとを備え、前記親指挿入用リング５が、親指Ｘ又は前記第２の柄部３ｂの他端に選択可能に係止するように構成したことを特徴とする鋏１であるから、不使用時には親指挿入用リング５により第１及び第２の柄部３ａ，３ｂがロックされ、刃部２ａ，２ｂが露出せずに閉塞状態を維持できるため安全である。さらに、使用時には、親指挿入用リング５を親指Ｘに挿通することにより、作業中に鋏１が手から離れても親指Ｘに親指挿入用リング５が係止しているため脱落することがなく作業を中断させることがないため作業性を向上でき、また親指に鋏を係止した状態で親指及び親指以外の指を自由に動かすことができるため摘花等以外の別の作業も行うことができる。
【００１９】
また、このように本実施例では請求項２に対応して、前記挟持部４は前記第１及び第２の柄部３ａ，３ｂに摺動可能に挿通し、前記第１及び第２の柄部３ａ，３ｂが前記挟持部４に多段階に係止して、前記第１及び第２の柄部３ａ，３ｂの長さを調節可能に構成したことを特徴とする請求項１記載の鋏１であるから、切断作業を最適にする長さに簡単に調整でき、第１及び第２の柄部３ａ，３ｂを摺動させ多段階に伸びた鋏１は、支点と力点の距離が長いため弾性体からなる板バネ４の弾性力が緩やかになり、少しの力で切断することができるため摘粒作業者等に与える労力を軽減することができると共に、作業性を向上させることができる。また、不使用時には挟持部４を短くして鋏１の長さを短くできるから、携行性を格段に向上できる。
【００２０】
さらに、このように本実施例では請求項３に対応して、前記刃部を替え刃可能に構成したことを特徴とする請求項１又は２記載の鋏１であるから、刃部２ａ，２ｂの鈍りやこぼれが生じた際や用途に応じて刃を取り替えることができる。
【００２１】
また、実施例上の効果として、刃部２ｂの受け刃は緩やかな凹円弧形状に形成されているので、被切断物が逃げず、容易に切断することができ作業性を向上させることができる。さらに、板バネ４の弾性力により刃部２ａ，２ｂが開くことにより、他の鋏と異なり果樹の枝おろしや、一般では庭木や草花などの切り込みなどにも使用することができ、太い枝まで楽に切断できるため初心者にも容易に切断することができる。
【実施例２】
【００２２】
図６は本発明の第２実施例を示す。なお、上記第１実施例と同一部分に同一符号を付し、その詳細な説明を省略する。本実施例では刃部２ａの変形例を示し、図６に示すように、第１の柄部３ａにのみ刃部２ａを設けている。この刃部２ａは、内側縁の外側を斜めにカットしてなる片刃状をした刃部であり、刃部２ａの一端の刃先角が鋭角に形成されている。また、第１及び第２の柄部３ａ，３ｂを閉じた場合、刃部２ａは第２の柄部３ｂに設けられた凹部状の刃部受け溝２ｂ’に収まるように構成されている。
【００２３】
一方、本実施例の鋏１を用いて被切断物を切断する場合、刃部２ａを有する第１の柄部３ａと刃部受け溝２ｂ’を有する第２の柄部３ｂの間に被切断物を挟み込み、第１の柄部３ａの外面側に当てがった親指Ｘと第２の柄部３ｂの外面側に当てがった親指Ｘ以外の指との間を狭めることにより、刃部２ａを用いて被切断物を切断することができる。また、板バネ４の弾性力により一対の第１及び第２の柄部３ａ，３ｂが開くことにより、他の鋏と異なり果樹の枝おろしや、一般では庭木や草花などの切り込みなどにも使用することができ、太い枝まで楽に切断できるため初心者にも容易に切断することができる。さらに、
このように本実施例では請求項１に対応して、第１の柄部３ａと、この第１の柄部３ａに対向する第２の柄部３ｂと、前記第１の柄部３ａの一端と前記及び第２の柄部３ｂの一端とを連結する弾性体からなる挟持部４と、第１の柄部３ａの他端に回動自在に設けられた親指挿入用リング５と、前記第１及び第２の柄部３ａ，３ｂの少なくとも一方に設けられた刃部２ａとを備え、前記親指挿入用リング５が、親指Ｘ又は前記第２の柄部３ｂの他端に選択可能に係止するように構成したことを特徴とする鋏１であるからであるから、不使用時には親指挿入用リング５により第１及び第２の柄部３ａ，３ｂがロックされ、刃部２ａが刃部受け溝２ｂ’に収まり、露出せずに閉塞状態を維持できるため安全である。さらに、使用時には、親指挿入用リング５を親指Ｘに挿入することにより、作業中に鋏１が手から離れても親指Ｘに親指挿入用リング５が係止しているため脱落することがなく、作業性を向上できる。さらに、第１の柄部３ａにのみ刃部２ａを設た片刃タイプの鋏１であるため、右利きや左利きの区別をつけずに左右のどちらの手でも使用可能である。また、請求項２及び３に対応しても第１実施例と同様な作用，効果を奏する。
【実施例３】
【００２４】
図７及び図８は本発明の第３実施例を示す。なお、上記第１実施例と同一部分に同一符号を付し、その詳細な説明を省略する。本実施例では第１及び第２の柄部３ａ，３ｂと板バネ４を一体に構成した変形例を示し、図７及び図８に示すように、第１の柄部３ａにのみ刃部２ａを設け、刃部２ａは内側縁の外側を斜めにカットしてなる片刃状をした刃部であり、略コの字状に形成されている。この刃部２ａは、第１及び第２の柄部３ａ，３ｂを閉じた場合、第２の柄部３ｂに設けられた凹部状の刃部受け溝２ｂ’に収まるように構成され、刃部２ａの他端の先端は第１及び第２の柄部３ａ，３ｂの先端と同一直線上にある。また、第１の柄部３ａの先端部に約３ミリの直径を有し、略円形状をなす金属製の親指挿入用リング５を備えており、この親指挿入用リング５は第１の柄部３ａの先端部に設けられた止め金具７により取り付けられている。取り付ける親指挿入用リング５は、固定ではなく、止め金具７を軸として回動自在に係止されている。
【００２５】
一方、本実施例の鋏１を用いて被切断物を切断する場合、刃部２ａを有する第１の柄部３ａと刃部受け溝２ｂ’を有する第２の柄部３ｂの間に被切断物を挟み込み、第１の柄部３ａの外面側に当てがった親指Ｘと第２の柄部３ｂの外面側に当てがった親指Ｘ以外の指との間を狭めることにより、刃部２ａを用いて被切断物を切断することができる。また、板バネ４の弾性力により一対の第１及び第２の柄部３ａ，３ｂが開くことにより、他の鋏と異なり果樹の枝おろしや、一般では庭木や草花などの切り込みなどにも使用することができ、太い枝まで楽に切断できるため初心者にも容易に切断することができる。
【００２６】
本実施例のように第１及び第２の柄部３ａ，３ｂと板バネ４を一体に構成したことにより、第１及び第２の柄部３ａ，３ｂを別体に設ける必要がなく、製造が簡素化でき、且つ、製造コストを抑えることができる。また、鋏１の不使用時には親指挿入用リング５により第１及び第２の柄部３ａ，３ｂがロックされ、刃部２ａが露出せずに閉塞状態を維持できるため安全であり、小型化できるため携帯しやすい。一方、使用時には、第１及び第２の柄部３ａ，３ｂを開放した状態で、親指挿入用リング５に親指Ｘを挿入することにより、親指Ｘの腹が第１の柄部３ａの他端頭部に接し、親指Ｘの根元部が第１の柄部３ａに接することにより、親指Ｘのふらつきを防止することができ、対向する第２の柄部３ｂを、親指Ｘ以外の指にて開閉することが可能である。さらに、親指挿入用リング５を親指Ｘに挿入することにより、作業中に鋏１が手から離れても親指Ｘに親指挿入用リング５が係止しているため脱落することがなく、作業を中断させないため作業性を向上できる。また、第１の柄部３ａにのみ刃部２ａを設た片刃タイプの鋏１であるため、右利きや左利きの区別をつけずに左右のどちらの手でも使用可能である。さらに、刃部２ａの鈍りやこぼれが生じた際には、取付溝10に嵌着している刃部２ａを取り外し、新しい刃と取り替えることができる。さらに、摘果する果樹の枝の太さ等の状態に応じて、用途に適応した刃に取り替えることができ、本実施例においても請求項１及び２に対応して第１実施例と同様な作用，効果を奏する。
【００２７】
尚、本発明は上記実施形態に限定されるものではなく、本発明の要旨の範囲内において、種々の変形実施が可能である。例えば、親指挿入用リング５は、不使用時に第２の柄部３ｂを固定し、使用時に親指Ｘを固定可能なものであればこれに限定されず、例えば皮，ゴム，プラスチック製等のものを適用できる。また、刃部２ａ，２ｂの材料としては、例えば、ステンレスやチタン等の軽量で錆ない材料のものを適用できる。さらに、挟持部４は、弾性体からなるものであれば板バネに限定されず、例えば、コイル状のバネ等を適用でき、Ｕ字状やＶ字状等の形状であってもよい。
【産業上の利用可能性】
【００２８】
本発明の活用例として、花屋，果実の収穫，豆類の収穫，芽切り，摘果，摘粒，摘花等の多用途の作業に用いる鋏として用いることができ、親指挿入用リングを取り付けることによって、不使用時には安全留め具として、また使用時には親指に掛けて落下防止器具として親指挿入用リングを用いることができる。
【図面の簡単な説明】
【００２９】
【図１】本発明の第１実施例を示す鋏の開口状態の斜視図である。
【図２】本発明の第１実施例を示す鋏の閉塞状態の平面図である。
【図３】本発明の第１実施例を示す鋏の使用状態の平面図である。
【図４】本発明の第１実施例を示す鋏の開口状態の斜視図である。
【図５】本発明の第１実施例を示す鋏の開口状態の平面図である。
【図６】本発明の第２実施例を示す鋏の開口状態の斜視図である。
【図７】本発明の第３実施例を示す鋏の開口状態の斜視図である。
【図８】本発明の第３実施例を示す鋏の閉塞状態の平面図である。
【符号の説明】
【００３０】
１    鋏
２ａ  刃部
２ｂ  刃部
３ａ  第１の柄部
３ｂ  第２の柄部
４    挟持部（板バネ）
５    親指挿入用リング
Ｘ    親指
【図１】
2005058130.tif 000003
【図２】
2005058130.tif 000004
【図３】
2005058130.tif 000005
【図４】
2005058130.tif 000006
【図５】
2005058130.tif 000007
【図６】
2005058130.tif 000008
【図７】
2005058130.tif 000009
【図８】
2005058130.tif 000010